(57)【要約】【課題】スクロールを停止するタイミングを容易に把握可能にすることを目的とする。【解決手段】コンテンツ配列に基づいて、スクロール表示領域に表示されるコンテンツオブジェクトを読み出すコンテンツオブジェクト読み出し手段と、コンテンツ配列に基づいて、スクロール操作に応じてこれからスクロール表示領域に表示されるであろう、スクロール表示領域とは異なる領域に表示される近未来表示コンテンツオブジェクトを読み出す近未来表示コンテンツオブジェクト読み出し手段と、コンテンツオブジェクト読み出し手段で読み出されたコンテンツオブジェクト及び近未来表示コンテンツオブジェクト読み出し手段で読み出された近未来表示コンテンツオブジェクトを用いて表示画像データを生成する表示画像データ生成手段と、表示画像データ生成手段で生成された表示画像データを出力する表示画像データ出力手段と、を有することによって課題を解決する。【選択図】図４
2009140342.tif 000002
【特許請求の範囲】
【請求項１】
コンテンツ配列に基づいて、スクロール表示領域に表示されるコンテンツオブジェクトを読み出すコンテンツオブジェクト読み出し手段と、
前記コンテンツ配列に基づいて、スクロール操作に応じてこれから前記スクロール表示領域に表示されるであろう、前記スクロール表示領域とは異なる領域に表示される近未来表示コンテンツオブジェクトを読み出す近未来表示コンテンツオブジェクト読み出し手段と、
前記コンテンツオブジェクト読み出し手段で読み出されたコンテンツオブジェクト及び前記近未来表示コンテンツオブジェクト読み出し手段で読み出された近未来表示コンテンツオブジェクトを用いて表示画像データを生成する表示画像データ生成手段と、
前記表示画像データ生成手段で生成された表示画像データを出力する表示画像データ出力手段と、
を有することを特徴とする表示画像データ出力装置。
【請求項２】
前記近未来表示コンテンツオブジェクトの更新条件を満たしているか否かを判断する判断手段と、
前記判断手段で前記近未来表示コンテンツオブジェクトの更新条件を満たしていると判断された場合、前記近未来表示コンテンツオブジェクトの表示に係る更新を行う更新手段と、
を更に有することを特徴とする請求項１に記載の表示画像データ出力装置。
【請求項３】
前記判断手段は、前記近未来表示コンテンツオブジェクトが表示されてから特定の時間が経過した場合、前記近未来表示コンテンツオブジェクトの更新条件を満たしていると判断することを特徴とする請求項２に記載の表示画像データ出力装置。
【請求項４】
前記判断手段は、表示されている前記近未来表示コンテンツオブジェクトが前記スクロール表示領域に表示された場合、前記近未来表示コンテンツオブジェクトの更新条件を満たしていると判断することを特徴とする請求項２に記載の表示画像データ出力装置。
【請求項５】
前記表示画像データ生成手段は、前記コンテンツオブジェクト読み出し手段で読み出されたコンテンツオブジェクトをスクロール表示領域に表示されるよう、及び前記近未来表示コンテンツオブジェクト読み出し手段で読み出された近未来表示コンテンツオブジェクトを前記スクロール表示領域とは異なる領域に表示されるよう、表示画像データを生成することを特徴とする請求項１乃至４の何れか１項に記載の表示画像データ出力装置。
【請求項６】
前記コンテンツオブジェクトは、動画像フレームであることを特徴とする請求項１に記載の表示画像データ出力装置。
【請求項７】
表示画像データ出力装置における表示画像データ出力方法であって、
コンテンツ配列に基づいて、スクロール表示領域に表示されるコンテンツオブジェクトを読み出すコンテンツオブジェクト読み出しステップと、
前記コンテンツ配列に基づいて、スクロール操作に応じてこれから前記スクロール表示領域に表示されるであろう、前記スクロール表示領域とは異なる領域に表示される近未来表示コンテンツオブジェクトを読み出す近未来表示コンテンツオブジェクト読み出しステップと、
前記コンテンツオブジェクト読み出しステップで読み出されたコンテンツオブジェクト及び前記近未来表示コンテンツオブジェクト読み出しステップで読み出された近未来表示コンテンツオブジェクトを用いて表示画像データを生成する表示画像データ生成ステップと、
前記表示画像データ生成ステップで生成された表示画像データを出力する表示画像データ出力ステップと、
を有することを特徴とする表示画像データ出力方法。
【請求項８】
前記近未来表示コンテンツオブジェクトの更新条件を満たしているか否かを判断する判断ステップと、
前記判断ステップで前記近未来表示コンテンツオブジェクトの更新条件を満たしていると判断された場合、前記近未来表示コンテンツオブジェクトの表示に係る更新を行う更新ステップと、
を更に有することを特徴とする請求項７に記載の表示画像データ出力方法。
【請求項９】
前記判断ステップは、前記近未来表示コンテンツオブジェクトが表示されてから特定の時間が経過した場合、前記近未来表示コンテンツオブジェクトの更新条件を満たしていると判断することを特徴とする請求項８に記載の表示画像データ出力方法。
【請求項１０】
前記判断ステップは、表示されている前記近未来表示コンテンツオブジェクトが前記スクロール表示領域に表示された場合、前記近未来表示コンテンツオブジェクトの更新条件を満たしていると判断することを特徴とする請求項８に記載の表示画像データ出力方法。
【請求項１１】
前記表示画像データ生成ステップは、前記コンテンツオブジェクト読み出しステップで読み出されたコンテンツオブジェクトをスクロール表示領域に表示されるよう、及び前記近未来表示コンテンツオブジェクト読み出しステップで読み出された近未来表示コンテンツオブジェクトを前記スクロール表示領域とは異なる領域に表示されるよう、表示画像データを生成することを特徴とする請求項７乃至１０の何れか１項に記載の表示画像データ出力方法。
【請求項１２】
前記コンテンツオブジェクトは、動画像フレームであることを特徴とする請求項７に記載の表示画像データ出力方法。
【請求項１３】
コンピュータを、
コンテンツ配列に基づいて、スクロール表示領域に表示されるコンテンツオブジェクトを読み出すコンテンツオブジェクト読み出し手段と、
前記コンテンツ配列に基づいて、スクロール操作に応じてこれから前記スクロール表示領域に表示されるであろう、前記スクロール表示領域とは異なる領域に表示される近未来表示コンテンツオブジェクトを読み出す近未来表示コンテンツオブジェクト読み出し手段と、
前記コンテンツオブジェクト読み出し手段で読み出されたコンテンツオブジェクト及び前記近未来表示コンテンツオブジェクト読み出し手段で読み出された近未来表示コンテンツオブジェクトを用いて表示画像データを生成する表示画像データ生成手段と、
前記表示画像データ生成手段で生成された表示画像データを出力する表示画像データ出力手段と、
して機能させることを特徴とするプログラム。
【請求項１４】
請求項１３に記載のプログラムを記憶したコンピュータにより読み取り可能な記憶媒体。
【発明の詳細な説明】
【技術分野】
【０００１】
本発明は、表示画像データ出力装置及び表示画像データ出力方法に関する。
【背景技術】
【０００２】
近年、デジタルコンテンツを検索する際に縮小画像を用いたスクロール表示が行われている。例えば、Ｗｉｎｄｏｗｓ（登録商標）Ｍｅｄｉａ  Ｃｅｎｔｅｒでは、縮小画像を縦方向に３列表示し、左右にスクロールさせることで、視覚的良好さを保ちながらコンテンツを視覚的に検索している。また、クロスメディアバー（登録商標）では、メディアアイコンとコンテンツアイコンとを十字型に配置し、コンテンツアイコンを上下にスクロールさせることでコンテンツ検索を可能にしている。更に、動画像のフレームを第一の方向に並べ、スクロールを用いてコンテンツ検索を行う方法が存在する。
【０００３】
【特許文献１】特開２００４−３５６７７４号公報
【発明の開示】
【発明が解決しようとする課題】
【０００４】
しかしながら、何れの方法もスクロールしているコンテンツの縮小画像であるコンテンツアイコンを注意深く凝視して検索を行い、所望のコンテンツがスクロール表示された際に直ちにスクロールを止める必要がある。この方法では思った位置でスクロールを止められないばかりか、コンテンツ検索に掛かる時間を短縮するためにスクロール速度を増加させると、視覚的にコンテンツの視認が困難になりスクロール表示そのものが意味をなさなくなる。
【０００５】
本発明はこのような問題点に鑑みなされたもので、スクロールを停止するタイミングを容易に把握可能にすることを目的とする。
【課題を解決するための手段】
【０００６】
そこで、本発明は、コンテンツ配列に基づいて、スクロール表示領域に表示されるコンテンツオブジェクトを読み出すコンテンツオブジェクト読み出し手段と、前記コンテンツ配列に基づいて、スクロール操作に応じてこれから前記スクロール表示領域に表示されるであろう、前記スクロール表示領域とは異なる領域に表示される近未来表示コンテンツオブジェクトを読み出す近未来表示コンテンツオブジェクト読み出し手段と、前記コンテンツオブジェクト読み出し手段で読み出されたコンテンツオブジェクト及び前記近未来表示コンテンツオブジェクト読み出し手段で読み出された近未来表示コンテンツオブジェクトを用いて表示画像データを生成する表示画像データ生成手段と、前記表示画像データ生成手段で生成された表示画像データを出力する表示画像データ出力手段と、を有することを特徴とする。
【０００７】
また、本発明は、表示画像データ出力装置における表示画像データ出力方法であって、コンテンツ配列に基づいて、スクロール表示領域に表示されるコンテンツオブジェクトを読み出すコンテンツオブジェクト読み出しステップと、前記コンテンツ配列に基づいて、スクロール操作に応じてこれから前記スクロール表示領域に表示されるであろう、前記スクロール表示領域とは異なる領域に表示される近未来表示コンテンツオブジェクトを読み出す近未来表示コンテンツオブジェクト読み出しステップと、前記コンテンツオブジェクト読み出しステップで読み出されたコンテンツオブジェクト及び前記近未来表示コンテンツオブジェクト読み出しステップで読み出された近未来表示コンテンツオブジェクトを用いて表示画像データを生成する表示画像データ生成ステップと、前記表示画像データ生成ステップで生成された表示画像データを出力する表示画像データ出力ステップと、を有することを特徴とする。
【０００８】
また、本発明は、プログラム及び記憶媒体としてもよい。
【発明の効果】
【０００９】
本発明によれば、スクロールを停止するタイミングを容易に把握可能にすることができる。
【発明を実施するための最良の形態】
【００１０】
以下、本発明の実施形態について図面に基づいて説明する。
【００１１】
＜実施形態１＞
図１は、コンテンツ表示システムのシステム構成の一例を示す図である。
図１に示されるように、コンテンツ表示システムは、コンテンツ表示装置１と、コンテンツ表示装置１から出力された表示画像（表示画像データ）を表示する表示装置２と、コンテンツ表示装置１を操作する操作入力装置３と、を含む。
【００１２】
図２は、コンテンツ表示装置（コンピュータ）のハードウェア構成の一例を示す図である。
図２において、コンテンツ表示装置１は、ＣＰＵ１１、ＲＯＭ１２、ＲＡＭ１３、タイマ１４、ＦｌａｓｈＲＯＭ１７、ネットワークＩ／Ｆ１８、ＨＤ１９から構成される。
【００１３】
ＣＰＵ（中央処理装置）１１は、コンテンツ表示装置全体を制御する。ＲＯＭ１２は、各種プログラム等を格納する。ＲＡＭ１３は、実行中のプログラムを記憶すると共に実行中のプログラムに用いられるデータ等を一時的に記憶する。
【００１４】
タイマ１４は、各種時間を計測する。ＦｌａｓｈＲＯＭ１７は、各種設定データファイル等を記憶する。ネットワークＩ／Ｆ１８は、コンテンツ表示装置を外部装置（例えば表示装置２や操作入力装置３等）と接続する。ＨＤ１９は、各種プログラム及び設定データファイルを記憶する。
【００１５】
ＣＰＵ１１は、マイクロプロセッサで構成される。ＣＰＵ１１が、ＲＯＭ１２、又はＨＤ１９に記憶されているプログラムをＲＡＭ１３上に読み出して実行することによって、後述する機能、又はフローチャートに係る処理が実現される。
【００１６】
図３は、コンテンツ表示装置の構成の一例を示す図である。
格納部２１は、コンテンツ、コンテンツアイコン並びにある順序条件に従ってコンテンツを一列に並べたコンテンツ配列（コンテンツの配列情報）を蓄積する。なお、格納部２１は、便宜上、コンテンツ表示装置１０の内部構成として挙げたが、情報を取得可能であれば、外部装置に実装されていてもよい。
【００１７】
ここで、コンテンツアイコンとはコンテンツを指し示す縮小画像等のアイコンデータ（処理の内容や対象を小さな絵や記号で表現したもの）である。本実施形態では便宜上、コンテンツアイコンは、予め生成され、蓄積されているものとするが、このことは本実施形態を制限するものではない。また、コンテンツ配列は、予めある順序条件に従って並べられ、格納部２１に蓄積されていてもよいし、例えばデータベースで言うところのクエリ等を用いて、必要に応じて表示に必要なコンテンツ配列が生成されてもよい。
【００１８】
操作取得部２２は操作入力装置３からの操作入力信号を受信する。操作解析部２３は、操作取得部２２で受信した操作入力信号を解析する。スクロール表示制御部２４は、操作入力信号（操作入力）に従いスクロール表示を制御する。コンテンツ選択部２５は、基準となるコンテンツと、コンテンツ配列と、に従って表示するコンテンツを選択する。選択コンテンツアイコン表示制御部２６は、コンテンツ選択部２５で選択されたコンテンツのコンテンツアイコンを格納部２１から読み出し、表示制御を行う。
【００１９】
表示画像生成部２７は、格納部２１に蓄積されたコンテンツアイコンを用いて表示装置２に表示する表示画像データを生成する。フレームバッファ２８は、表示画像生成部２７で生成された表示画像データを一時蓄積するためのバッファである。表示出力部２９は、フレームバッファ２８に一時蓄積された表示画像データを表示装置２に出力する。
【００２０】
図４は、表示装置に表示される表示画面の一例を示す図（その１）である。１００は表示画面である。１１１から１１５まで及び１２１から１２３まではコンテンツの内容を縮小表示したサムネイルに代表される、コンテンツを示すコンテンツアイコンである。１０１は、横方向に並べられたコンテンツアイコン配列の規則性を示す順序条件表示である。１０２は、ある順序条件に基づいて並べられたコンテンツアイコンのスクロール表示領域ある。スクロール表示領域１０２では、横方向に並べられたコンテンツアイコンを１個ずつスライドさせて表示することができる。１０３は、フォーカスされたコンテンツアイコンの強調表示を表している。ここで強調表示の方法としては他のコンテンツアイコンより大きなアイコン表示を行う等、他のコンテンツアイコンと外観上区別可能であればどのような方法であってもよい。また、コンテンツ表示システムは、スクロール表示中は、強調表示を行っても行わなくてもよい。１０４は、基準となるコンテンツに付随するメタ情報を示すメタ情報表示を表している。１０５は、操作入力指示に対応付けられた、操作方法のガイドを端的に示した操作ガイド表示を表している。図４において、それぞれのコンテンツアイコンの下にファイル名が記されているが、後述するデータセットの内容との対応を説明するために便宜上記したものであり、実際の表記の有無及び他の情報の追加記載については、これに限定されるものではない。
【００２１】
図５は、コンテンツ配列の一例を示した図である。
図５に示されるように、コンテンツ配列は、コンテンツ配列番号と、コンテンツ名と、作成日時と、を項目として含む。なお、コンテンツ配列の項目はこれらに限定されるものではなく、コンテンツを格納している場所情報や関連付けられたコンテンツアイコン情報を含んでいてもよい。更に、データセットに含まれるコンテンツは全てＪＰＥＧイメージが記載されているが、他の画像フォーマット、動画像データ、更には一般的なパーソナルコンピュータで扱われるドキュメントデータに代表されるＰＣデータであってもよい。
【００２２】
２０１は、スクロール表示領域に表示されているコンテンツアイコン（表示コンテンツオブジェクト）を示している。２０２は、フォーカスされたコンテンツアイコン（表示コンテンツオブジェクト）を示している。２０３から２０５までは近未来にスクロールされるであろうコンテンツアイコン（近未来表示コンテンツオブジェクト）を示している。
表示画像生成部２７は、図５に示したコンテンツ配列に基づいて格納部２１から読み出されたコンテンツアイコンを用いて図４に示した表示画面を生成する。
【００２３】
図６は、初期画面を生成する処理の一例を示すフローチャートである。
まず、ステップＳ１０１において、コンテンツ選択部２５は、フォーカスするコンテンツ（フォーカスコンテンツ）を決定する。コンテンツ選択部２５がフォーカスコンテンツ決定する方法としては、最新のコンテンツを選択する方法や、前回の使用時の最後にフォーカスされていたコンテンツを選択する方法、ユーザが指定した特定のコンテンツを選択する方法等がある。
【００２４】
ステップＳ１０２において、コンテンツ選択部２５は、順序条件（例えば日付順等）に従い、図５に示したようなコンテンツ配列を生成する。
ステップＳ１０３において、コンテンツ選択部２５は、コンテンツ配列に従ってスクロール表示領域に表示するコンテンツを選択する。選択コンテンツアイコン表示制御部２６は、コンテンツ選択部２５が選択したコンテンツに対応するコンテンツアイコンを格納部２１から読み出す（コンテンツオブジェクト読み出し）。なお、格納部２１から読み出すコンテンツアイコンはフォーカスコンテンツを考慮して表示に必要ものだけを読み出すようにしてもよいし、表示の如何に関わらず全てのコンテンツアイコンを読み出してもよい。
【００２５】
ステップＳ１０４において、コンテンツ選択部２５は、スクロールの初期速度とコンテンツ配列とに基づいて、近未来にスクロールされるであろう（つまりスクロール操作に応じてこれからスクロール表示領域１０２に表示されるであろう）コンテンツを選択する。選択コンテンツアイコン表示制御部２６は、コンテンツ選択部２５が選択したコンテンツに対応するコンテンツアイコンを格納部２１から読み出す（近未来表示コンテンツオブジェクト読み出し）。例えば、コンテンツ選択部２５は、スクロール速度が秒間１００コンテンツであれば、フォーカスコンテンツからコンテンツ配列上１００、２００、３００個先のコンテンツを近未来表示コンテンツとして選択する。そして、選択コンテンツアイコン表示制御部２６は、コンテンツ選択部２５が選択した近未来表示コンテンツに対応するコンテンツアイコンを近未来表示コンテンツアイコンとして格納部２１から読み出す。
【００２６】
なお、コンテンツ選択部２５は、スクロールの初期速度とコンテンツ配列とに基づいて、単位時間辺りのスクロールされるコンテンツ数と同数先のコンテンツを選択するよう説明を行ったが、このことは本実施形態を制限するものではない。また、便宜上、３個のコンテンツを近未来表示コンテンツとして選択するよう説明を行ったが、１個以上であれば幾つであってもよい。また、選択するコンテンツ間（コンテンツ配列間）が一定である必要もない。
【００２７】
ステップＳ１０５において、表示画像生成部２７は、選択コンテンツアイコン表示制御部２６が読み出したコンテンツアイコンを並べて、表示画面データを生成する。つまり表示画像生成部２７は、ステップＳ１０３で読み出されたコンテンツアイコンをスクロール表示領域に表示されるよう、ステップＳ１０４で読み出されたコンテンツアイコンをスクロール表示領域とは異なる領域に表示されるよう表示画面データを生成する。
ステップＳ１０６において、表示画像生成部２７は、生成した表示画像データをフレームバッファに入れて、図４に示すような表示画面を出力する。
【００２８】
図７は、操作入力装置の一例を示す図（その１）である。
３０１は、スクロール用の右ボタンである。３０２は、スクロール用の左ボタンである。３０３は、決定ボタンである。３０４は、決定ボタン３０３が押下される前の表示状態に戻るための戻るボタンである。３０５は、コンテンツ表示装置１の電源を操作するための電源ボタンである。
【００２９】
図８は、操作入力に伴う表示画像データ出力処理の一例を示すフローチャートである。
ステップＳ２０１において、操作取得部２２は、操作入力装置３から操作入力を受信（取得）したか否かを判定する。操作取得部２２は、操作入力装置３から操作入力を受信した場合、ステップＳ２０２に処理を進め、操作入力装置３から操作入力を受信していない場合、ステップＳ２０１の処理を繰り返す。
【００３０】
ステップＳ２０２において、操作解析部２３は、操作入力を解析し、左又は右ボタンの押下であるか否かを判断する。操作解析部２３は、左又は右ボタンの押下であると判断すると、ステップＳ２０３に処理を進め、左又は右ボタンの押下でないと判断すると、ステップＳ２２１に処理を進める。
【００３１】
ステップＳ２２１において、操作解析部２３は、操作入力を解析し、終了指示（電源ボタン３０５の押下）か否かを判断する。操作解析部２３は、終了指示であると判断すると、図８に示す処理を終了し、終了指示でない（つまり決定ボタン３０３や戻るボタン３０４の押下である）と判断すると、ステップＳ２２２に処理を進める。
【００３２】
ステップＳ２２２において、コンテンツ表示装置１は、操作入力に応じた、予め定められた処理（例えばフォーカスコンテンツを全画面表示する等の処理）を実行する。
一方、ステップＳ２０３において、操作解析部２３は、操作入力を解析し、左又は右ボタンの押下が継続されているか否かを判断する。操作解析部２３は、左又は右ボタンの押下が継続されていると判断した場合、処理をステップＳ２０４に進め、左又は右ボタンの押下が継続されていないと判断した場合、処理をステップＳ２１１に進める。
【００３３】
例えば左又は右ボタンが一度押下された場合は、ステップＳ２１１において、例えばスクロール表示制御部２４等は、スクロール表示領域のコンテンツアイコンをコンテンツアイコン１個分左又は右にスクロールし、スクロールを停止するよう制御する。そして、ステップＳ２１２において、例えば選択コンテンツアイコン表示制御部２６等は、近未来表示コンテンツオブジェクトの更新を行う。なお例えば選択コンテンツアイコン表示制御部２６等は、後述するステップＳ２０５のように、近未来表示コンテンツオブジェクトの更新条件を満たしているか否かを判断し、満たしている場合にステップＳ２１２の処理を行うようにしてもよい。
【００３４】
一方、ステップＳ２０４において、例えばスクロール表示制御部２４等は、スクロール表示領域のコンテンツアイコンを左又は右ボタンの押下分、左又は右にスクロール表示する。そして、ステップＳ２０５において、例えば表示画像生成部２７等は、近未来表示コンテンツオブジェクトの更新条件を満たしているか否かを判断する。例えば表示画像生成部２７等は、近未来表示コンテンツオブジェクトの更新条件を満たしていると判断すると、処理をステップＳ２０６に進める。一方、例えば表示画像生成部２７等は、近未来表示コンテンツオブジェクトの更新条件を満たしていないと判断すると、処理をステップＳ２０７に進める。
【００３５】
ここで、更新条件とは、例えば、コンテンツアイコンを表示して１秒間等の特定の時間経過がなされた場合や、表示しているコンテンツアイコン（近未来表示コンテンツオブジェクト）がスクロール表示領域に表示された場合等がある。また、更新条件の他の例として、表示しているコンテンツアイコンとスクロール表示領域に表示しているコンテンツアイコンとのコンテンツ配列における間隔が特定の閾値を割り込んだ場合であってもよい。なお、特定の閾値は、例えば、ＲＯＭ１２等に記憶されているファイル等に記述されているものとする。
【００３６】
以下の２つの条件を満たす場合、コンテンツ表示装置１はスクロール速度に関わらず近未来表示コンテンツオブジェクトが表示されてから一定時間経過後にスクロール表示領域に近未来表示コンテンツに係る表示コンテンツオブジェクトを表示させることができる。
条件Ａ：コンテンツ表示装置１が、スクロール速度に比例して近未来表示コンテンツオブジェクトに係る近未来表示コンテンツを選択する際の基準コンテンツからの間隔を変化させる
条件Ｂ：コンテンツ表示装置１が、近未来表示コンテンツオブジェクト（近未来表示コンテンツ）に係る表示コンテンツオブジェクトがスクロール表示領域に表示された場合に、近未来表示コンテンツオブジェクトの表示を更新する
【００３７】
ステップＳ２０６において、選択コンテンツアイコン表示制御部２６は、例えば選択コンテンツアイコン表示制御部２６等は、近未来表示コンテンツオブジェクトの更新を行う。
ステップＳ２０７において、操作解析部２３は、操作入力を解析し、左又は右ボタンの押下が継続されているか否かを判断する。操作解析部２３は、左又は右ボタンの押下が継続されていると判断した場合、処理をステップＳ２０４に戻し、左又は右ボタンの押下が継続されていないと判断した場合、処理をステップＳ２０８に進める。ステップＳ２０８において、例えばスクロール表示制御部２４等は、スクロール表示を停止する。
【００３８】
以上のように、コンテンツ表示装置１が、近未来表示コンテンツオブジェクトをスクロール表示と共に画面に表示することで、ユーザは、スクロールを停止するタイミングを把握することができる。更に、コンテンツ表示装置１が、近未来表示コンテンツオブジェクトの表示を特定の時間継続させることで、ユーザは、スクロール速度によらずスクロールするコンテンツアイコンの概要を視覚的に認識することができる。
【００３９】
＜実施形態２＞
図９は、表示装置に表示される表示画面の一例を示す図（その２）である。８００は、表示画面である。８１１から８１５まで及び８２１から８２３まではフレーム画像を縮小表示したサムネイルに代表される、フレーム画像を示すフレームアイコンである。８０２は、ある順序条件に基づいて並べられたフレームアイコンのスクロール表示領域ある。スクロール表示領域８０２では、横方向に並べられたフレームアイコンを１個ずつスライドさせることができる。８０３は、フォーカスされたフレームアイコンの強調表示を表している。ここで強調表示の方法としては他のフレームアイコンより大きなアイコン表示を行う等、他のコンテンツアイコンと外観上区別可能であればどのような方法であってもよい。また、コンテンツ表示システム（フレーム表示システム）は、スクロール表示中は、強調表示を行っても行わなくてもよい。８０４は、検索しているフレームを保持する動画像コンテンツのメタ情報を示すメタ情報表示を表している。図９では、便宜上、ファイル名を表示した例を示している。８０５は、操作入力指示に対応付けられた、操作方法のガイドを端的に示した操作ガイド表示を表している。図９においてそれぞれのフレームアイコンの下に動画像コンテンツ内のフレーム時刻が記されているが後述するデータセットの内容との対応を説明するために便宜上記したものであり実際の表記の有無及び他の情報の記載については、これに限定されるものではない。
【００４０】
図１０は、動画像フレームのフレーム配列の一例を示した図である。
図１０に示されるように、フレーム配列は、フレーム配列番号と、フレーム時刻と、を項目として含む。なお、フレーム配列の項目はこれに限定されるものではなく、フレームを格納している場所情報や関連付けられたフレームアイコン情報を含んでいてもよい。更に、データセットに含まれる動画像データはＡＶＩファイルが記載されているが、他の動画像フォーマットであってもよい。
【００４１】
９０１は、スクロール表示領域に表示されているフレームアイコン（表示コンテンツオブジェクト）を示している。９０２は、フォーカスされたフレームアイコン（表示コンテンツオブジェクト）を示している。９０３から９０５までは近未来にスクロールされるであろうフレームアイコン（近未来表示コンテンツオブジェクト）を示している。
表示画像生成部２７は、図１０に示したフレーム配列に基づいて格納部２１から読み出されたフレームアイコンを用いて図９に示した表示画面を生成する（表示画像データ生成）。
なお、フレーム配列は、予めある順序条件に従って並べられ、格納部２１に蓄積されていてもよいし、例えばデータベースで言うところのクエリ等を用いて、必要に応じて表示に必要なフレーム配列が生成されてもよい。
操作入力を始め、処理フローについては実施形態１におけるコンテンツを動画像のフレームに置き換えた場合と同様であるため、説明は省略する。
【００４２】
以上のように、本実施形態によれば、コンテンツ表示装置１が、近未来にスクロールされるであろうフレームアイコンをスクロール表示と共に表示することで、ユーザは、動画像フレームの検索においてもスクロールを停止するタイミングを把握することができる。
更に、コンテンツ表示装置１が、近未来表示コンテンツオブジェクトの表示を特定の時間継続させることで、ユーザは、スクロール速度によらずスクロールするコンテンツアイコンの概要を視覚的に認識することができる。特に動画像フレームの検索においてはスクロールされるアイコンが一連の関連を持つためにユーザは全てのフレームを把握する必要が無く、他のコンテンツの場合と比較して飛躍的に操作性を向上させることができる。
【００４３】
＜実施形態３＞
上述した実施形態では、ユーザが近未来にスクロールされるであろうコンテンツアイコン又はフレームアイコンが更新されるタイミングを把握することにより、スクロールの停止を容易にすることを示した。本実施形態では表示されている近未来にスクロールされるであろうコンテンツアイコン又はフレームアイコン（以下、総称してコンテンツアイコンと呼ぶ）を特定の操作によりフォーカスコンテンツの位置に表示する方法を示す。
【００４４】
左又は右ボタンの継続的な押下によるスクロール表示中に、近未来にスクロールされるコンテンツアイコンに所望のコンテンツが表示された際、ボタンの押下をやめ、ユーザは、例えば、図１１のスキップキー３０６を押下する。ここで、図１１は、操作入力装置の一例を示す図（その２）である。
【００４５】
スキップキー３０６押下の回数に応じて、コンテンツ表示装置１は、表示画面に表示されている近未来にスクロールされるであろうコンテンツアイコン（近未来表示コンテンツアイコン）を順次選択する。そして、コンテンツ表示装置１は、決定ボタンの押下により選択されている近未来表示コンテンツアイコンコンをスクロール表示部のフォーカスコンテンツの位置に表示するよう制御する。
【００４６】
以上のように、表示されている近未来にスクロールされるコンテンツアイコンを直接選択可能にすることで、操作性を更に向上させることができる。また、スクロールを停止するためにタイミングを把握する必要がないため、コンテンツ表示装置１は、近未来表示コンテンツのコンテンツ選択の際にコンテンツ配列において基準となるコンテンツからの間隔を任意に決定することができる。また、コンテンツ表示装置１による近未来表示コンテンツアイコンの更新のタイミングが一定時間間隔でない場合でも、ユーザは、簡単に所望のコンテンツを選択することができる。
【００４７】
＜その他の実施形態＞
また、本発明の目的は、以下のようにすることによって達成される。即ち、上述した実施形態の機能を実現するソフトウェアのプログラムコードを記録した記憶媒体（又は記録媒体）を、システム或いは装置に供給する。そして、そのシステム或いは装置の中央演算処理手段（ＣＰＵやＭＰＵ）が記憶媒体に格納されたプログラムコードを読み出し実行する。この場合、記憶媒体から読み出されたプログラムコード自体が上述した実施形態の機能を実現することになり、そのプログラムコードを記録した記憶媒体は本発明を構成することになる。
【００４８】
また、システム或いは装置の前記中央演算処理手段が読み出したプログラムコードを実行することにより、そのプログラムコードの指示に基づき、システム或いは装置上で稼働しているオペレーティングシステム（ＯＳ）等が実際の処理の一部又は全部を行う。その処理によって上述した実施形態の機能が実現される場合も含まれる。
【００４９】
更に、記憶媒体から読み出されたプログラムコードが、前記システム或いは装置に挿入された機能拡張カードや、接続された機能拡張ユニットに備わるメモリに書込まれたとする。その後、そのプログラムコードの指示に基づき、その機能拡張カードや機能拡張ユニットに備わるＣＰＵ等が実際の処理の一部又は全部を行い、その処理によって上述した実施形態の機能が実現される場合も含まれる。
【００５０】
本発明を前記記憶媒体に適用する場合、その記憶媒体には、先に説明したフローチャートに対応するプログラムコードが格納されることになる。
【００５１】
以上、上述した各実施形態によれば、スクロールを停止するタイミングを容易に把握可能にすることができる。
【００５２】
以上、本発明の好ましい実施形態について詳述したが、本発明は係る特定の実施形態に限定されるものではなく、特許請求の範囲に記載された本発明の要旨の範囲内において、種々の変形・変更が可能である。
【図面の簡単な説明】
【００５３】
【図１】コンテンツ表示システムのシステム構成の一例を示す図である。
【図２】コンテンツ表示装置（コンピュータ）のハードウェア構成の一例を示す図である。
【図３】コンテンツ表示装置の構成の一例を示す図である。
【図４】表示装置に表示される表示画面の一例を示す図（その１）である。
【図５】コンテンツ配列の一例を示した図である。
【図６】初期画面を生成する処理の一例を示すフローチャートである。
【図７】操作入力装置の一例を示す図（その１）である。
【図８】操作入力に伴う表示画像データ出力処理の一例を示すフローチャートである。
【図９】表示装置に表示される表示画面の一例を示す図（その２）である。
【図１０】動画像フレームのフレーム配列の一例を示した図である。
【図１１】操作入力装置の一例を示す図（その２）である。
【符号の説明】
【００５４】
１    コンテンツ表示装置
２    表示装置
３    操作入力装置
【図１】
2009140342.tif 000003
【図２】
2009140342.tif 000004
【図３】
2009140342.tif 000005
【図４】
2009140342.tif 000006
【図５】
2009140342.tif 000007
【図６】
2009140342.tif 000008
【図７】
2009140342.tif 000009
【図８】
2009140342.tif 000010
【図９】
2009140342.tif 000011
【図１０】
2009140342.tif 000012
【図１１】
2009140342.tif 000013